(57)【要約】【課題】スキャナ装置と複数の情報表示装置とがネットワークを介して接続された画像表示システムにおいて、スキャンして得た画像データを、簡単な操作で望む情報表示装置に送信して表示させることを可能にする。【解決手段】スキャナ装置１は、原稿読取部１２と、原稿読取部１２で生成される画像データの送信先を複数の情報表示装置２ａ，２ｂ，２ｃ，．．．の中から選択するユーザ操作を受け付ける操作部１１と、操作部１１で選択された送信先に上記画像データを送信する送信部１３と、を有する。操作部１１は、送信先が複数選択された場合、選択された全ての送信先に対して画像データの全ページのデータを送信するか、選択された全ての送信先のそれぞれに画像データをページ単位で分配したデータを送信するか、を指定するユーザ操作を受け付け、送信部１３は指定されたデータの送信を実行する。情報表示装置は受信した画像データを表示する。【選択図】図１
2014036387.tif 000002
【特許請求の範囲】
【請求項１】
スキャナ装置と複数の情報表示装置とがネットワークを介して接続された画像表示システムであって、
前記スキャナ装置は、原稿を読み取り該原稿の画像データを生成する原稿読取部と、該原稿読取部で生成される画像データの送信先を前記複数の情報表示装置の中から選択するユーザ操作を受け付ける操作部と、該操作部で選択された送信先に前記原稿読取部で生成された画像データを送信する送信部と、を有し、
前記操作部は、選択された送信先が複数である場合について、選択された全ての送信先に対して前記画像データの全ページのデータを送信するか、選択された全ての送信先のそれぞれに前記画像データをページ単位で分配したデータを送信するか、を指定するユーザ操作を受け付け、
前記送信部は、前記操作部で指定されたデータの送信を実行することを特徴とする画像表示システム。
【請求項２】
前記操作部は、前記画像データをページ単位で分配したデータを送信する場合、前記画像データの分配規則を指定するユーザ操作を受け付け、
前記送信部は、前記操作部で指定された分配規則に従ってデータの送信を実行することを特徴とする請求項１に記載の画像表示システム。
【請求項３】
前記操作部は、選択された送信先に対して１画面で表示させるページ数を指定するユーザ操作を受け付け、
前記送信部は、前記操作部で指定されたページ数毎に異なる画面用のデータとしてデータの送信を行うことを特徴とする請求項１又は２に記載の画像表示システム。
【請求項４】
前記操作部は、選択された送信先に対して、送信先で現在表示中の画面の少なくとも一部に重ねるための画面用のデータとしての、データの送信を許可するか許可しないかを選択するユーザ操作を受け付け、
前記送信部は、前記操作部で選択された画面用のデータとしてデータの送信を行うことを特徴とする請求項１〜３のいずれか１項に記載の画像表示システム。
【請求項５】
スキャナ装置と複数の情報表示装置とがネットワークを介して接続された画像表示システムにおける画像表示方法であって、
前記スキャナ装置が、原稿を読み取り該原稿の画像データを生成する生成ステップと、
前記スキャナ装置が、前記生成ステップで生成される画像データの送信先を前記複数の情報表示装置の中から選択するユーザ操作を受け付ける操作ステップと、
前記スキャナ装置が、前記操作ステップで選択された送信先に前記生成ステップで生成された画像データを送信する送信ステップと、
前記送信ステップで送信されたデータを受信した情報表示装置が、受信した画像データを表示する表示ステップと、
を有し、
前記操作ステップは、選択された送信先が複数である場合について、選択された全ての送信先に対して前記画像データの全ページのデータを送信するか、選択された全ての送信先のそれぞれに前記画像データをページ単位で分配したデータを送信するか、を指定するユーザ操作を受け付け、
前記送信ステップは、前記操作ステップで指定されたデータの送信を実行することを特徴とする画像表示方法。
【発明の詳細な説明】
【技術分野】
【０００１】
本発明は、画像表示システム及び画像表示方法に関し、より詳細には、スキャナ装置にて原稿読み取りを行って得た画像データを情報表示装置で表示させる画像表示システム及び画像表示方法に関する。
【背景技術】
【０００２】
従来から、スキャナ装置で原稿読み取りを行って得た画像データを情報表示装置で表示させる画像表示システムが利用されている。例えば、特許文献１には、スキャナ装置で原稿読み取りを行って得た画像データを、ネットワークを介して画像表示装置に直接送信して表示するシステムが開示されている。
【先行技術文献】
【特許文献】
【０００３】
【特許文献１】特開２００８−４２５５２号公報
【発明の概要】
【発明が解決しようとする課題】
【０００４】
しかしながら、スキャナ装置と情報表示装置とを備えた画像表示システムでは、学校などでスキャナ装置で原稿読み取り（スキャン）した複数ページの画像データを複数台の情報表示装置で表示する場面を想定した場合、スキャンした画像データの利用シーンに応じて、どの情報表示装置で表示させるかなどの様々な要望が生じてくる。
【０００５】
例えば、情報表示装置を教室に離間させて配置している場合には、全ての情報表示装置で同じページの画像データを表示させたいといった要望があり、情報表示装置を並べて配置した場合には、情報表示装置毎に異なるページの画像データを表示させたいといった要望がある。
【０００６】
また、情報表示装置では通常、複数の画面の中から表示する画面をページ送り操作などにより切り替えることが可能となっているが、教室での授業の進行状態によっては、現在表示中の画面をそのままの状態にし次の画面ページにスキャンした画像データを表示させたい場合や、現在表示中の画面に差し替えて又は重ねてスキャンした画像データを表示させたい場合もある。
【０００７】
上述のような様々な要望を満たすためには、スキャナ装置でスキャンして記憶しておいた画像データから、ユーザが情報表示装置毎に表示したい画像ページを探し、スキャナ装置から情報表示装置毎に送信する、といった操作を行う必要があり、非常に手間が掛かってしまう。
【０００８】
また、特許文献１に記載のシステムでは、情報表示装置がスキャナ装置に対して送信指示を行い、その結果として画像データを受信して表示するため、スキャナ装置に送信指示を送る操作を情報表示装置毎に行う必要があり、非常に手間が掛かってしまう。
【０００９】
本発明は、上述のような実状に鑑みてなされたものであり、その目的は、スキャナ装置と複数の情報表示装置とがネットワークを介して接続された画像表示システムにおいて、スキャンして得た画像データを、簡単な操作で望む情報表示装置に送信して表示させることを可能にすることにある。
【課題を解決するための手段】
【００１０】
上記の課題を解決するために、本発明の第１の技術手段は、スキャナ装置と複数の情報表示装置とがネットワークを介して接続された画像表示システムであって、前記スキャナ装置は、原稿を読み取り該原稿の画像データを生成する原稿読取部と、該原稿読取部で生成される画像データの送信先を前記複数の情報表示装置の中から選択するユーザ操作を受け付ける操作部と、該操作部で選択された送信先に前記原稿読取部で生成された画像データを送信する送信部と、を有し、前記操作部は、選択された送信先が複数である場合について、選択された全ての送信先に対して前記画像データの全ページのデータを送信するか、選択された全ての送信先のそれぞれに前記画像データをページ単位で分配したデータを送信するか、を指定するユーザ操作を受け付け、前記送信部は、前記操作部で指定されたデータの送信を実行することを特徴としたものである。
【００１１】
本発明の第２の技術手段は、第１の技術手段において、前記操作部は、前記画像データをページ単位で分配したデータを送信する場合、前記画像データの分配規則を指定するユーザ操作を受け付け、前記送信部は、前記操作部で指定された分配規則に従ってデータの送信を実行することを特徴としたものである。
【００１２】
本発明の第３の技術手段は、第１又は第２の技術手段において、前記操作部は、選択された送信先に対して１画面で表示させるページ数を指定するユーザ操作を受け付け、前記送信部は、前記操作部で指定されたページ数毎に異なる画面用のデータとしてデータの送信を行うことを特徴としたものである。
【００１３】
本発明の第４の技術手段は、第１〜第３のいずれか１の技術手段において、前記操作部は、選択された送信先に対して、送信先で現在表示中の画面の少なくとも一部に重ねるための画面用のデータとしての、データの送信を許可するか許可しないかを選択するユーザ操作を受け付け、前記送信部は、前記操作部で選択された画面用のデータとしてデータの送信を行うことを特徴としたものである。
【００１４】
本発明の第５の技術手段は、スキャナ装置と複数の情報表示装置とがネットワークを介して接続された画像表示システムにおける画像表示方法であって、前記スキャナ装置が、原稿を読み取り該原稿の画像データを生成する生成ステップと、前記スキャナ装置が、前記生成ステップで生成される画像データの送信先を前記複数の情報表示装置の中から選択するユーザ操作を受け付ける操作ステップと、前記スキャナ装置が、前記操作ステップで選択された送信先に前記生成ステップで生成された画像データを送信する送信ステップと、前記送信ステップで送信されたデータを受信した情報表示装置が、受信した画像データを表示する表示ステップと、を有し、前記操作ステップは、選択された送信先が複数である場合について、選択された全ての送信先に対して前記画像データの全ページのデータを送信するか、選択された全ての送信先のそれぞれに前記画像データをページ単位で分配したデータを送信するか、を指定するユーザ操作を受け付け、前記送信ステップは、前記操作ステップで指定されたデータの送信を実行することを特徴としたものである。
【発明の効果】
【００１５】
本発明によれば、スキャナ装置と複数の情報表示装置とがネットワークを介して接続された画像表示システムにおいて、スキャンして得た画像データを、簡単な操作で望む情報表示装置に送信して表示させることが可能になる。
【図面の簡単な説明】
【００１６】
【図１】本発明に係る画像表示システムの一構成例を示す図である。
【図２】図１の画像表示システムにおけるスキャン・送信処理の一例を説明するためのフロー図である。
【図３】図２のスキャン・送信処理でスキャナ装置に表示させるＧＵＩ画像の一例を示す図である。
【図４】図２のスキャン・送信処理でスキャナ装置に表示させるＧＵＩ画像の一例を示す図である。
【図５】図２のスキャン・送信処理でスキャナ装置に表示させるＧＵＩ画像の一例を示す図である。
【図６】図２のスキャン・送信処理でスキャナ装置に表示させるＧＵＩ画像の一例を示す図である。
【図７】図２のスキャン・送信処理で送信されたスキャン画像データの情報表示装置での表示例を示す図である。
【図８】図２のスキャン・送信処理で送信されたスキャン画像データの情報表示装置での他の表示例を示す図である。
【図９】図２のスキャン・送信処理で送信されたスキャン画像データの情報表示装置での他の表示例を示す図である。
【図１０】図２のスキャン・送信処理で送信されたスキャン画像データの情報表示装置での他の表示例を示す図である。
【発明を実施するための形態】
【００１７】
図１は、本発明に係る画像表示システムの一構成例を示す図である。
図１で例示する画像表示システムは、スキャナ装置１と、複数の情報表示装置（インフォメーションディスプレイ）２ａ，２ｂ，２ｃ，．．．とが、ＬＡＮ（Local Area Network）等の有線／無線のネットワーク３で接続されている。なお、スキャナ装置１は、例えばコピー機や、スキャナ機能を含む複数の機能を有する複合機などに搭載されたスキャナ装置であってもよく、その場合、コピー機や複合機などに設けられた操作パネル等の操作部が以下に説明するスキャナ装置１の操作部１１に該当することになる。また、情報表示装置２ａ，２ｂ，２ｃ，．．．としては所謂、電子黒板と呼ばれる装置も適用できる。
【００１８】
スキャナ装置１は、その全体を制御する制御部１０と、ユーザ操作を受け付ける操作部１１と、原稿を光学的に読み取って（スキャンして）その原稿を電子データ化することで、その原稿の画像データを生成する原稿読取部１２と、原稿読取部１２で生成された画像データを外部に送信する送信部１３とを備える。
【００１９】
制御部１０は、スキャナ装置１の全体を制御するため、ＣＰＵ（Central Processing Unit）又はＭＰＵ（Micro Processing Unit）、作業領域としてのＲＡＭ（Random Access Memory）、及び制御プログラム（本発明に係る画像表示処理におけるスキャン・送信処理を行うプログラムを含む）を記憶した記憶装置などの制御デバイスで構成される。上記のスキャン・送信処理を行うプログラムには、送信先の選択等の送信設定に関するユーザ操作を促すためのＧＵＩ（Graphical User Interface）が含まれる。また、この記憶装置としては、フラッシュＲＯＭ（Read Only Memory）、ＥＥＰＲＯＭ（Electrically Erasable and Programmable  ＲＯＭ）、ハードディスク等が挙げられる。無論、制御部１０の一部又は全部を専用のハードウェアで構成することもできる。
【００２０】
操作部１１は、ユーザ操作を促すための上記ＧＵＩの画像を表示させることが可能となっており、そのために、液晶ディスプレイ、有機ＥＬ（electroluminescence）ディスプレイなどの表示パネルを有する。また、操作部１１は、ユーザ操作を受け付ける操作キーを有する。操作ボタンはハードウェアキーに限らず、ソフトウェアキーとして設けることができる。ソフトウェアキーとして設ける場合、上記の表示パネルに重ねて又は内蔵してタッチセンサを設け、表示パネルに上記ＧＵＩの画像を表示させた状態で、そのタッチセンサでユーザ操作を受け付ければよい。操作部１１で受け付けたユーザ操作の内容は制御部１０に渡され、制御部１０がスキャナ装置１をその内容に従って動作させることになる。
【００２１】
また、操作部１１は、原稿読取部１２で生成される画像データ（以下、スキャン画像データ）の送信先を上記複数の情報表示装置２ａ，２ｂ，２ｃ，．．．の中から１又は複数選択するユーザ操作を受け付ける。つまり、操作部１１は、上記ユーザ操作として複数の送信先が１つの操作画面から（１つのＧＵＩ画像を表示した状態で）選択可能になっている。送信先は、無論、現在ネットワーク３に接続され、且つ電源が入っている（或いは電源ＯＮ指示により電源がＯＮできる）情報表示装置を検索し、その中から選択できるようにしておけばよい。
【００２２】
そして、本発明の主たる特徴として、操作部１１は、選択された送信先が複数である場合について、選択された全ての送信先に対して上記画像データの全ページのデータを送信するか、選択された全ての送信先のそれぞれに上記画像データをページ単位で分配したデータを送信するか、を指定するユーザ操作を受け付ける。このように操作部１１ではデータ送信方法（以下、送信方法）の選択が可能となっている。
【００２３】
なお、このような送信方法の選択等のユーザ操作の受け付けは、スキャン画像データを得る前に行うこと（つまりこのユーザ操作を受け付けた後にスキャンを実行すること）が好ましく、以下の例ではそのような例を挙げる。但し、スキャン画像データを得た後に（或いはスキャナ装置１の図示しない記憶部に格納されたスキャン画像データを読み出して）、このようなユーザ操作や他の送信設定に関するユーザ操作を受け付けてもよい。
【００２４】
そして、送信部１３は、操作部１１で選択された１又は複数の送信先に原稿読取部１２で生成されたスキャン画像データを送信する。このとき、送信部１３は、操作部１１で指定されたデータの送信を実行する。より具体的には、送信部１３は、操作部１１で指定された送信方法に従って、各送信先へのデータを作成するようにスキャン画像データを加工し、作成したデータを対応する送信先に送信する。送信部１３は、ネットワークアダプタなどで構成される。このように、操作部１１は、スキャン画像データの送信先を複数選択すること、並びに送信方法を指定することが可能になっており、送信部１３は、操作部１１で複数の送信先が選択された場合、選択された複数の送信先に指定された送信方法でスキャン画像データを送信する。このときブロードバンド配信などによって、同時に送信すればよい。
【００２５】
一方で、情報表示装置２ａは、制御部２０、受信部２１、表示部２２、及び操作部２３を備える。以下、情報表示装置２ａについて説明するが、他の情報表示装置２ｂ，２ｃ，．．．の構成についても情報表示装置２ａと同様である。
【００２６】
制御部２０は、情報表示装置２ａの全体を制御するため、ＣＰＵ又はＭＰＵ、作業領域としてのＲＡＭ、及び制御プログラム（本発明に係る画像表示処理における受信・表示処理を行うプログラムを含む）を記憶した記憶装置などの制御デバイスで構成される。また、この記憶装置としては、フラッシュＲＯＭ、ＥＥＰＲＯＭ、ハードディスク等が挙げられる。無論、制御部２０の一部又は全部を専用のハードウェアで構成することもできる。また、操作部２３は、情報表示装置２ａで各種のユーザ操作を受け付け、制御部２０がそれに応じた処理を実行するように制御する。
【００２７】
送信部１３で送信されたスキャン画像データを受信した情報表示装置（例えば情報表示装置２ａ，２ｂ）は、このスキャン画像データを表示する。スキャン画像データの受信は受信部２１が実行し、スキャン画像データの表示は表示部２２が実行する。受信部２１はネットワークアダプタなどで構成され、表示部２２は液晶ディスプレイ、有機ＥＬディスプレイなどのパネルで構成される。ここで、情報表示装置２ａ，２ｂは、現在表示中の画面ページの画面用データとして、受信したスキャン画像データを表示してもよいし、例えば次の画面ページなどの画面用データとして、受信したスキャン画像データを記憶するなどにより、操作部２３で受け付けたページ送り（めくり）操作などで表示ができる状態にするだけでもよい。
【００２８】
このように、スキャナ装置１では、複数枚の原稿をスキャンして電子化して、その電子化データ（スキャン画像データ）を複数の情報表示装置に送信する際、ユーザが例えば情報表示装置の使用台数や使用状況（送信可能な情報表示装置をどのような位置に設置しているか、どのように使用しているかなど）に合わせて送信先を決めて送信することが可能になっている。
【００２９】
スキャナ装置１では、送信可能な情報表示装置から所望の送信先を選択し送信できるだけでなく、送信方法の指定を行うことができ、情報表示装置２ａ等では、送信されたスキャン画像データを表示できる。これにより、情報表示装置毎に個々に送信操作を行うより手間を省くことができ、ユーザの利便性を向上させることができる。つまり、本発明に係る画像表示システムによれば、スキャンして得たスキャン画像データを、簡単な操作で、望む情報表示装置に送信し表示させることができる。
【００３０】
次に、図２〜図１０を参照しながら、主にスキャナ装置１の制御部１０の制御により実行される上記スキャン・送信処理の具体例を説明する。図２は、図１の画像表示システムにおけるスキャン・送信処理の一例を説明するためのフロー図である。また、図３〜図６は、図２のスキャン・送信処理でスキャナ装置に表示させる一連のＧＵＩ画像の一例を示す図である。また、図７〜図１０は、図２のスキャン・送信処理で送信されたスキャン画像データの情報表示装置での表示例を示す図である。
【００３１】
まず、スキャナ装置１の制御部１０は、操作部１１からスキャン・送信処理を行うユーザ操作を受け付けたとき、操作部１１の表示パネルに図３のＧＵＩ画像３１を表示させる。ＧＵＩ画像３１は、スキャン画像データが送信可能な情報表示装置を検索した結果の一覧３１ａを含み、その一覧３１ａから送信先の情報表示装置を選択するユーザ操作を促すものである。
【００３２】
ここで、送信先の指定は事前にアドレス帳などに登録してある中（好ましくは電源がＯＮの情報表示装置の中）から選択したり、ＩＰ（Internet Protocol）アドレスを入力して行うことも可能である。なお、電源がＯＦＦの情報表示装置に結果的に送信した場合には送信エラーとして「電源をＯＮして下さい」などといった通知を行うとよい。
【００３３】
一覧３１ａには各情報表示装置（ここでは情報表示装置１，２，３，４，５，．．．）に対してチェックボックスが用意されており、ユーザは送信先として選択する１又は複数の情報表示装置の横のチェックボックスを選択することで、１又は複数の送信先が選択できるようになっている。また、ＧＵＩ画像３１には、いずれかのチェックボックスにチェックが入った段階で、次のＧＵＩ画像（後述の図４のＧＵＩ画像３２又は図５のＧＵＩ画像３３）に遷移させるための「次へ」キー３１ｂが選択可能に表示される。
【００３４】
ユーザが操作部１１で一覧３１ａの中から送信先を選択してそのチェックボックスにチェックを入れると、操作部１１は、チェックの入ったチェックボックスに対応する送信先が選択されたことを受け付けて制御部１０に伝える（ステップＳ１）。なお、ＧＵＩ画像３１に限らず、操作部１１はスキャン画像データの送信先が複数選択できるようになっていればよい。
【００３５】
次に、ユーザが「次へ」キー３１ｂを押下した段階で、制御部１０は、ステップＳ１で選択された送信先が１台か否かを判定する（ステップＳ２）。ステップＳ２でＮＯの場合、つまり選択された送信先が複数である場合、操作部１１はその表示パネルに図４のＧＵＩ画像３２を表示させる。ＧＵＩ画像３２には、次のような送信方法の選択肢３２ａが含まれている。
【００３６】
選択肢３２ａは、ステップＳ１で選択された全ての送信先に対してスキャン画像データの全ページのデータを送信するか、ステップＳ１で選択された全ての送信先のそれぞれに、スキャン画像データをページ単位で分配した（分割した）データを送信するか、を指定するユーザ操作を受け付けるようになっている。ユーザは、選択肢３２ａのチェックボックスにチェックを入れることでいずれかの選択肢を指定することができる。
【００３７】
また、ＧＵＩ画像３２には、次のＧＵＩ画像（後述の図５のＧＵＩ画像３３）に遷移させるための「次へ」キー３２ｃと、前のＧＵＩ画像３１に遷移させための「戻る」キー３２ｄが選択可能に設けられている。ユーザが操作部１１で選択肢３２ａのいずれかのチェックボックスにチェックを入れて選択肢を指定すると、操作部１１は、チェックの入ったチェックボックスに対応する選択肢が選択（指定）されたこと（送信方法選択操作）を受け付けて制御部１０に伝える（ステップＳ３）。なお、選択肢３２ａにはユーザに具体的にどのように送信されるかを例示するための送信例も記載している。また、ユーザが「次へ」キー３２ｃを押下すると、操作部１１がその表示パネルに図５のＧＵＩ画像３３を表示させる。なお、ユーザにより「戻る」キー３２ｄが押下された場合には、その旨を操作部１１が制御部１０に伝えてＧＵＩ画像３１を表示させればよい。
【００３８】
なお、選択肢３２ａとしては上述した２つの選択肢に限らず、他の選択肢を同時に示しておいてもよい。他の選択肢の一例を挙げると、３つ以上の送信先であった場合、１つの送信先についてはスキャン画像データの全ページのデータを送信し、残りの送信先についてはスキャン画像データをページ単位で分配したデータを送信するような処理を選択するための選択肢が挙げられる。
【００３９】
また、ＧＵＩ画像３２に限らず、操作部１１は上述のような送信方法の指定を行うユーザ操作が受け付け可能となっていればよい。なお、ステップＳ１における送信先の選択だけで、予め定められた送信方法に従って後述のステップＳ８，Ｓ９を実行するようにすることもできる。
【００４０】
また、ＧＵＩ画像３２は次のような選択肢３２ｂを含むことが好ましい。選択肢３２ｂは、スキャン画像データをページ単位で分配したデータを送信する場合（選択肢３２ａのうち下側が選択された場合）、操作部１１によりスキャン画像データの分配規則を指定するユーザ操作を受け付けるようになっている。ユーザは、選択肢３２ｂのチェックボックスにチェックを入れることでいずれかの選択肢を指定することができる。選択肢３２ｂを設けた場合には、ステップＳ３において、操作部１１は選択肢３２ｂのうちチェックの入ったチェックボックスに対応する選択肢が選択（指定）されたことも受け付けて制御部１０に伝えればよい。無論、選択肢３２ｂに限らず、操作部１１は上述のような分配規則の指定を行うユーザ操作が受け付け可能となっていればよい。
【００４１】
ステップＳ３に続いて、並びにステップＳ２でＹＥＳの場合には、操作部１１は、その表示パネルに図５のＧＵＩ画像３３を表示させる。ＧＵＩ画像３３には、送信先の表示部２２の１画面あたりの表示ページ数（つまり表示部２２の１画面あたりにスキャナ装置１が送信する送信ページ数）を選択するための選択肢３３ａが含まれている。ここでは、選択肢３３ａとして、表示ページ数を１ページ、２ページ、４ページの中から選択するための選択肢が表示された例を挙げている。ユーザは、選択肢３３ａのチェックボックスにチェックを入れることでいずれかの選択肢を指定することができる。
【００４２】
また、ＧＵＩ画像３３にも、次のＧＵＩ画像（後述の図６のＧＵＩ画像３４）に遷移させるための「次へ」キー３３ｂと、前のＧＵＩ画像３２に遷移させための「戻る」キー３３ｃが選択可能に設けられている。ユーザが操作部１１で選択肢３３ａのいずれかのチェックボックスにチェックを入れて選択肢を指定すると、操作部１１は、チェックの入ったチェックボックスに対応する選択肢が選択（指定）されたこと（１画面表示ページ数選択操作）を受け付けて制御部１０に伝える（ステップＳ４）。また、ユーザが「次へ」キー３３ｂを押下すると、操作部１１がその表示パネルに図６のＧＵＩ画像３４を表示させる。なお、ユーザにより「戻る」キー３３ｃが押下された場合には、その旨を操作部１１が制御部１０に伝えてＧＵＩ画像３２を表示させればよい。
【００４３】
また、ＧＵＩ画像３３の例に限らず、操作部１１は、ステップＳ１で選択された送信先に対して１画面で表示させる表示ページ数を指定するユーザ操作を受け付けることが可能に構成されていればよい。但し、表示ページ数の指定は必須ではなく、予め定められた例えば「１画面あたり１ページ」で送信するようにしておけばよい。なお、予め送信方法を決めておくなどすればステップＳ３の処理を行うことなく、このような表示ページ数の指定処理を行うように構成することもできる。
【００４４】
なお、ＧＵＩ画像３３における１画面あたりの送信ページ数の選択については、スキャナ装置１だけでなく、情報表示装置２ａ上でもスキャン画像データが送信されてきた場合のデフォルト値として操作部２３により予め選択可能に構成することが望ましい。また、このデフォルト値は、スキャン画像データの表示後にも操作部２３で変更可能に構成することが望ましい。
【００４５】
ステップＳ４に続いて、操作部１１は、上述のように「次へ」キー３３ｂが押下された場合、その表示パネルに図６のＧＵＩ画像３４を表示させる。ＧＵＩ画像３４には、スキャン画像データを送信先の表示部２２における使用中画面ページや使用済み画面ページに表示させることを許可するか許可しないかを、選択するための選択肢３４ａが含まれている。使用中画面ページとは、送信先で現在表示中の画面を指す。使用済み画面ページとは、ページ送り操作などにより送られて現在は表示中ではないが、ページ戻し操作などにより表示させることが可能な画面（つまり表示可能な状態で使用中の画面）を指し、ページ戻し操作や送り操作などに対応して表示可能とするためには、図示しないメモリにその画面用のデータを格納しておけばよい。
【００４６】
ここで、許可しない場合には、未使用の画面に表示させることを許可しておけばスキャン画像データの表示は可能となる。例えば、情報表示装置２ａが画面用のデータとして１０ページ分だけ保持しており、そのうち１〜３ページを既に使用している場合、未使用の画面ページは４〜１０ページとなるため、これらのページへの表示が許可されている場合には、スキャン画像データは情報表示装置２ａにおける４〜１０ページの画面用のデータとして送信することができる。無論、許可する場合にも、未使用の画面に表示させることを容認しておく。
【００４７】
ユーザは、選択肢３４ａのチェックボックスにチェックを入れることでいずれかの選択肢を指定することができる。ユーザが操作部１１で選択肢３４ａのいずれかのチェックボックスにチェックを入れて選択肢を指定すると、操作部１１は、チェックの入ったチェックボックスに対応する選択肢が選択（指定）されたこと（使用中画面表示選択操作）を受け付けて制御部１０に伝える（ステップＳ５）。
【００４８】
また、ＧＵＩ画像３４には、スキャンを開始するための「スキャン開始」キー３４ｂと、前のＧＵＩ画像３３に遷移させための「戻る」キー３４ｃが選択可能に設けられている。
【００４９】
ステップＳ５に続き、ユーザが「スキャン開始」キー３４ｂを押下したか否かを制御部１０が判定し（ステップＳ６）、押下した場合（ＹＥＳの場合）、制御部１０の制御により原稿読取部１２がスキャンを開始してスキャン画像データの生成を行う（ステップＳ７）。なお、ユーザにより「戻る」キー３４ｃが押下された場合には、その旨を操作部１１が制御部１０に伝えてＧＵＩ画像３３を表示させればよい。
【００５０】
また、ＧＵＩ画像３４の例に限らず、操作部１１は、ステップＳ１で選択された送信先に対して、送信先で現在表示中の画面（若しくは表示可能な状態で使用中の画面）の少なくとも一部に重ねるための画面用のデータとして、データの送信を許可するか、許可しないか、を選択するユーザ操作を受け付けることが可能に構成されていればよい。少なくとも一部に重ねるとは、全部に重ねる場合、つまりスキャン画像データでその画面を差し替える場合も含む。但し、このような選択は必須ではなく、予め定められた例えば「許可しない」ようにしておけばよい。なお、予め送信方法を決めておくなどすればステップＳ３の処理を行うことなく、このような送信の許可／不許可の選択処理を行うように構成することもできる。
【００５１】
なお、ＧＵＩ画像３４における使用中／使用済み画面への表示許否の選択については、スキャナ装置１だけでなく、情報表示装置２ａ上でもスキャン画像データが送信されてきた場合のデフォルト値として操作部２３により予め選択可能に構成することが望ましい。
【００５２】
以上のようにして、スキャン画像データの送信設定（つまり情報表示装置２ａ上での表示設定）をスキャナ装置１で行う。なお、ステップＳ３〜Ｓ５の順序は問わないが、図２の処理手順と同様に送信先が１台のときには送信方法の選択は不要である。また、スキャン開始キーは少なくとも最後に表示させるＧＵＩ画像に表示させていれば、他のＧＵＩ画像に表示させていてもよく、これにより設定が省略されたＧＵＩ画像については予め定められた設定とすればよい。また、操作部１１における表示パネルが十分広いものであれば、図３〜図６のＧＵＩ画像３１〜３４のうち複数を１つのＧＵＩ画像にまとめて表示させてもよい。
【００５３】
送信部１３が送信設定に従ってデータを送信先に送信することになるが、そのために必要に応じてスキャン画像データを加工する必要がある。よって、ステップＳ７に続き、制御部１０は、ステップＳ７で原稿読取部１２から得たスキャン画像データをそのまま送信する場合以外については、スキャン画像データの加工を行う（ステップＳ８）。その後、送信部１３が各送信先に、ステップＳ８で加工したスキャン画像データ（またはステップＳ７で得たスキャン画像データ）の送信を行う（ステップＳ９）。
【００５４】
ステップＳ８での加工の必要性や加工の方法は、図４〜図６のＧＵＩ画像３２〜３４での送信設定に基づいて決まるものであり、以下に説明する。
まず、送信部１３は、ステップＳ３で受け付けた指定操作に基づき、各送信先に対してデータの送信を実行する。そのため、ステップＳ３で「情報表示装置毎に全ページ送信」する選択肢が選ばれている場合には、制御部１０は加工を行わず、送信部１３にステップＳ１で選択された送信先の全てに全ページ送信するように指示する。一方で、ステップＳ３で「各情報表示装置に分配して送信」する選択肢が選ばれている場合には、制御部１０は、ステップＳ７で得たスキャン画像データをページ単位で分割して、送信先に振り分け（分配し）、その振り分けに従った送信を送信部１３に指示する。
【００５５】
分配の方法は、選択肢３２ｂでの選択結果に基づき決めればよい。選択肢３２ｂは分配規則を複数の中から選択するために設けられており、そこでスキャン画像データの分配規則が指定された場合、送信部１３は、各送信先に対し、操作部１１で指定された分配規則に従って分配を行い、各送信先にデータの送信を実行すればよい。図４のＧＵＩ画像３２では、分配規則として「指定ページ数毎に分配して送信」する、或いは「部分毎に分配して送信」する、の２つから選択する例を挙げている。
【００５６】
選択肢３２ｂから「部分毎に分配して送信」する選択肢が選ばれている場合において、図４で図示したように、ステップＳ１で情報表示装置が３台選択されていて、ステップＳ７で得たスキャン画像データが８ページからなるデータであった場合（且つステップＳ４で画面あたり１ページ表示すると設定されていた場合）を想定する。この場合には、第１の情報表示装置に対して１ページ、２ページ、３ページが送信され、第２の情報表示装置に対して４ページ、５ページ、６ページが送信され、第３の情報表示装置に対して７ページ、８ページが送信される。以下、第１，第２，第３の情報表示装置をそれぞれ情報表示装置２ａ，２ｂ，２ｃとする。例えば、原稿枚数が同じで内容が異なる情報を順に並べてスキャンし、学校内の別の場所に設置した情報表示装置２ａ，２ｂ，２ｃに送信し、各情報表示装置２ａ，２ｂ，２ｃが受信して表示する処理を行うことで、それぞれ１年生、２年生、３年生の生徒に情報を伝えるような場面で利用できる。
【００５７】
「部分毎に分配して送信」する他の例を図７で挙げる。ステップＳ１で２台の情報表示装置２ａ，２ｂが選択されていて、ステップＳ７で得たスキャン画像データが６ページからなるデータであった場合且つステップＳ４で画面あたり１ページ表示すると設定されていた場合を想定する。この場合には、情報表示装置２ａに対して１ページ、２ページ、３ページが送信され、情報表示装置２ｂに対して４ページ、５ページ、６ページが送信され、最初は情報表示装置２ａの表示部２２に１ページ（ｉ）が表示され、情報表示装置２ｂの表示部に対して４ページ（ｉｖ）が表示されることになる。
【００５８】
選択肢３２ｂから「指定ページ数毎に分配して送信」する選択肢が選ばれている場合において、図４で図示したように、ステップＳ１で情報表示装置が３台選択されていて、ステップＳ７で得たスキャン画像データが８ページからなるデータであった場合（且つステップＳ４で画面あたり１ページ表示すると設定されていた場合）を想定する。この場合には、情報表示装置２ａに対して１ページ、４ページ、７ページが送信され、情報表示装置２ｂに対して２ページ、５ページ、８ページが送信され、情報表示装置２ｃに対して３ページ、６ページが送信される。これにより、情報表示装置２ａ，２ｂ，２ｃを横に並べて設置していた場合、１〜３ページが一度に表示でき、各情報表示装置２ａ，２ｂ，２ｃでページめくりを行うことで、次に４〜６ページが一度に表示でき、各情報表示装置２ａ，２ｂ，２ｃでページめくりを行うことで、次に７，８ページ及び新規ページが一度に表示できる。
【００５９】
なお、各情報表示装置２ａ，２ｂ，２ｃでページめくりを行うのではなく、１つの情報表示装置（例えば情報表示装置２ｂ）でページめくりを行った場合に他の情報表示装置（例えば情報表示装置２ａ，２ｃ）もその操作に連動してページめくりがなされるような構成を採用することもできる。
【００６０】
「指定ページ数毎に分配して送信」する他の例を図８で挙げる。ステップＳ１で２台の情報表示装置２ａ，２ｂが選択されていて、ステップＳ７で得たスキャン画像データが６ページからなるデータであった場合且つステップＳ４で画面あたり１ページ表示すると設定されていた場合を想定する。この場合には、情報表示装置２ａに対して１ページ、３ページ、５ページが送信され、情報表示装置２ｂに対して２ページ、４ページ、６ページが送信され、最初は情報表示装置２ａの表示部２２に１ページ（ｉ）が表示され、情報表示装置２ｂの表示部に対して２ページ（ｉｉ）が表示されることになる。
【００６１】
図７及び図８で説明したように、送信先の情報表示装置が２台の場合、１台目に前半ページのスキャン画像データを送信し且つ２台目に後半ページを送信したり、１台目に奇数ページのスキャン画像データを送信し且つ２台目に偶数ページを送信したりすることができる。このようにして、使用する情報表示装置をどのように配置したり利用したりするかによって様々な活用ができる。そしてこのような場合でも簡単な操作だけで情報表示装置に振り分けて送信し表示させることができる。
【００６２】
ステップＳ４で指定されたページ数が１ページであることを前提に例を挙げたが、送信部１３は、ステップＳ４において操作部１１で指定されたページ数毎に、異なる画面用のデータとしてデータの送信を行う。つまり、送信部１３は、指定されたページ数が複数の場合でも、選択肢３２ｂでの選択結果に従って、指定されたページ数単位で異なる画面用のデータとして送信を行う。この場合、ページ数の指定により、情報表示装置に対して指示する倍率とページ配置を選択できるようになっている。ページ数が指定されると予め決まった倍率、ページ配置でその指定されたページ数が表示できるような画面用のデータが、スキャン画像データの分割により生成され、情報表示装置ではその画面用のデータ単位で表示がなされる。
【００６３】
例えば、「指定ページ数毎に分配して送信」する場合には、制御部１０の制御により、送信部１３は、スキャナ画像データの全ページをページ順に上記ページ数毎に分割し、このようにして分割された複数のデータを、異なる画面用のデータであることが分かるようなフラグ（例えば画面番号を示す情報）を付すなどして送信先に送信する。２台の情報表示装置２ａ，２ｂに指定されたページ数（２ページ）毎に分配して送信する場合には、図９で例示したように、情報表示装置２ａの表示部２２に１ページ（ｉ）と２ページ（ｉｉ）とが集約されて表示され、情報表示装置２ｂの表示部２２に３ページ（ｉｉｉ）と４ページ（ｉｖ）とが集約されて表示されることになる。情報表示装置２ａには５ページ（ｖ）と６ページ（ｖｉ）も画面用のデータとして送信され、ページ送り操作により表示が可能となっている。
【００６４】
一方で、「部分毎に分配して送信」する場合にも、制御部１０の制御により、送信部１３は、上述したようにスキャナ画像データの全ページをページ順に上記ページ数毎に分割し、このようにして分割された複数のデータを、異なる画面用のデータであることが分かるようなフラグを付すなどして送信先に送信する。例えば２台の情報表示装置２ａ，２ｂに指定されたページ数（２ページ）で送信する場合には、２ページ単位で１つの画面用のデータとして送信され、図１０で例示したように、情報表示装置２ａの表示部２２に１ページ（ｉ）と２ページ（ｉｉ）とが集約されて表示され、情報表示装置２ｂの表示部２２に４ページ（ｉｖ）と５ページ（ｖ）とが集約されて表示されることになる。情報表示装置２ａには３ページ（ｉｉｉ）と白紙のページとが異なる画面用のデータとして送信され、ページ送り操作により表示が可能となっている。情報表示装置２ｂには６ページ（ｖｉ）と白紙のページとが異なる画面用のデータとして送信され、ページ送り操作により表示が可能となっている。
【００６５】
情報表示装置は各画面用のメモリ領域の制限により表示可能画面ページ数に限りがあるが、上述のようにページ数を複数に指定することを可能にすることで、各画面用のメモリ領域を有効に使用することができる。また、情報表示装置では、複数の画面を指定されたページ数単位でページ送りにより切り替えることもできる。
【００６６】
以上の表示方法では、情報表示装置で送信前に画面が表示されているか否かに拘わらず、送信した画面用のデータを表示させた例を挙げたが、表示方法はステップＳ５での選択結果に基づいて選択される。
【００６７】
つまり、送信部１３は、ステップＳ５において操作部１１で選択された画面用のデータとして、データの送信を行う。スキャン画像データを送信先の表示部２２における使用中画面ページや使用済み画面ページに表示させることを許可する場合には、例えば現在表示中の画面に差し替えて表示させるようなフラグを立てて画面用のデータを生成して送信先に送信する。代わりに、例えば現在表示中の画面の次の画面に差し替えて表示可能なように画面用のデータを生成して送信してよいし、現在表示中の画面に重ねるように表示させるように画面用のデータを生成して送信してもよい。一方で、許可しない場合には、新規の画面用のデータ（未使用ページの画面用のデータ）に表示させるようなフラグを立てて画面用のデータを生成して送信先に送信すればよい。
【００６８】
このような処理により、情報表示装置で既に使用中の表示画面がある場合、スキャン画像データを表示させる画面を使用中の表示画面と未使用の新規の画面からユーザが選んで、スキャン画像データの送信を行うことができる。使用中の表示画面ページも使用できるため、情報表示装置の有効な活用ができる。
【００６９】
なお、以上の説明では、スキャナ装置１から情報表示装置２ａ，２ｂ，２ｃ，．．．に送信する画面用のデータや原稿読取部１２で生成したスキャン画像データ自体のファイル名について記載しなかった。しかし、これらのファイル名はスキャナ装置１が連番で付せばよく、例えば一連の原稿についてはそれが一連の原稿であることが分かるように共通の文字列又は数字列を用いると共に、ページ番号もファイル名に組み込むとよい。また、スキャナ装置１は、ページ毎に振り分けたスキャン画像データの他に、後の使用を考慮して全てのページを含むスキャン画像データを、情報表示装置２ａ，２ｂ，２ｃ，．．．のうち所定の１台に保存用に送信するようにしておいてもよい。
【００７０】
以上、本発明に係る画像表示システムについて説明したが、その処理手順について説明したように、本発明は、スキャナ装置と複数の情報表示装置とがネットワークを介して接続された画像表示システムにおける画像表示方法としての形態もある。
【００７１】
この画像表示方法は、次の生成ステップ、操作ステップ、送信ステップ、及び表示ステップを有し、主に画像表示システムについて説明したようにスキャン画像データの送信方法に特徴を有する。生成ステップは、スキャナ装置が、原稿を読み取りその原稿の画像データ（スキャン画像データ）を生成するステップである。操作ステップは、スキャナ装置が、生成ステップで生成されるスキャン画像データの送信先を複数の情報表示装置の中から選択するユーザ操作を受け付けるステップである。送信ステップは、スキャナ装置が、操作ステップで選択された送信先に生成ステップで生成されたスキャン画像データを送信するステップである。表示ステップは、送信ステップで送信されたデータを受信した情報表示装置が、受信したスキャン画像データを表示するステップである。そして、操作ステップは、選択された送信先が複数である場合について、選択された全ての送信先に対して画像データの全ページのデータを送信するか、選択された全ての送信先のそれぞれに画像データをページ単位で分配したデータを送信するか、を指定するユーザ操作を受け付け、送信ステップは、操作ステップで指定されたデータの送信を実行する。その他の応用例や効果については、画像表示システムについて説明した通りであり、その説明を省略する。
【００７２】
また、本発明は、上記の画像表示方法における上記生成ステップ、操作ステップ、及び送信ステップをスキャナ装置側の制御部に実行させるためのプログラム（つまり上記のスキャン・送信処理を行うプログラム）としての形態や、上記の画像表示方法における上記表示ステップを情報表示装置側の制御部に実行させるためのプログラム（つまり上記の受信・表示処理を行うプログラム）としての形態も採り得る。上記のスキャン・送信処理を行うプログラムは、図２や図１０でその処理手順を例示したものであって、上記の受信・表示処理を行うプログラムは、図２や図１０の処理の後の処理として例示したものである。これらのプログラムが連携することで、本発明に係るスキャン画像の表示機能を実現できる。
【００７３】
また、本発明は、これらのプログラムを記憶したコンピュータ読み取り可能な記録媒体としての形態も採り得る。この記録媒体としては、ＣＤ（Compact Disc）、ＤＶＤ（Digital Versatile Disc）、ＢＤ（Blu-ray Disc）、Universal Serial Bus（ＵＳＢ：登録商標）メモリ等の可搬の記録媒体が挙げられる。この形態では、各プログラムを上記の記録媒体から各制御部で読み出して実行することで、もしくは上記の記録媒体から各制御部で読み出して制御部の記憶装置に格納しておいてその記憶装置から読み出して実行することで、本発明に係るスキャン画像の表示機能を実現できる。
【符号の説明】
【００７４】
１…スキャナ装置、２ａ，２ｂ，２ｃ…情報表示装置、３…ネットワーク、１０…制御部、１１…操作部、１２…原稿読取部、１３…送信部、２０…情報表示装置の制御部、２１…情報表示装置の受信部、２２…情報表示装置の表示部、２３…情報表示装置の操作部。
【図１】
2014036387.tif 000003
【図２】
2014036387.tif 000004
【図３】
2014036387.tif 000005
【図４】
2014036387.tif 000006
【図５】
2014036387.tif 000007
【図６】
2014036387.tif 000008
【図７】
2014036387.tif 000009
【図８】
2014036387.tif 000010
【図９】
2014036387.tif 000011
【図１０】
2014036387.tif 000012